(57)【要約】【課題】アクチュエータを必要とすることなく、舌片を媒体繰出し範囲から退避させることにより、低価格を実現した媒体集積繰出装置を提供する。【解決手段】複数の舌片１５を有する舌片ローラ１４と同軸上にカバー１６を回転自在に設ける。カバー１６は周壁部１６ｂを有し、舌片１５が周壁部１６ｂに接触することにより舌片１５は撓む。紙幣Ｐの繰出し時において、カバー１６は舌片ローラ１４の回転により舌片１５が接触して回転し、周壁部１６ｂがガイド１８に沿った位置に来る。これにより舌片１５は紙幣Ｐの移動起動上へ進入するのを阻止される。【選択図】  図１
2008308324.tif 000002
【特許請求の範囲】
【請求項１】
可撓性を有する複数の舌片を備え回転可能な舌片ローラにより媒体を叩いて集積するとともに、集積された媒体を１枚ずつ繰出す媒体集積繰出装置において、
前記舌片が接触可能で、該舌片が接触した状態で前記舌片ローラの回転により移動し、前記舌片が集積時の媒体移動軌跡上に突出するのを許容する第１の停止位置と、繰出し時の媒体移動軌跡上への前記舌片の突出を阻止する第２の停止位置をとる移動部材を設け、
媒体集積時は、前記舌片ローラの回転により前記移動部材は前記第１の停止位置に位置付けられ、
媒体繰出し時は、前記舌片ローラの回転により前記移動部材は前記第２の停止位置に位置付けられることを特徴とする媒体集積繰出装置。
【請求項２】
前記移動部材は、
前記舌片ローラの回転軸と同軸上に回転自在に設けられ、回転軸方向に直交する方向に前記舌片が突出する切欠き部と、前記舌片を撓ませて所定範囲内に収納する収納部とを有するカバー部材であり、
前記第１の停止位置は、前記カバー部材の前記切欠き部が前記集積時の媒体移動軌跡に対向する位置であり、
前記第２の停止位置は、前記カバー部材の前記収納部が前記繰出し時の媒体移動軌跡に対向する位置である請求項１記載の媒体集積繰出装置。
【請求項３】
前記移動部材は、
媒体の集積方向に沿って配設されたガイド部材に沿って移動するシャッター部材であり、
前記第１の停止位置は、前記シャッター部材が前記集積時の媒体移動軌跡に対向する位置から退避した待機位置であり、
前記第２の停止位置は、前記シャッター部材が前記繰出し時の媒体移動軌跡に対向する位置である請求項１記載の媒体集積繰出装置。
【請求項４】
可撓性を有する複数の舌片を備え回転可能な舌片ローラにより媒体を叩いて集積するとともに、集積された媒体を１枚ずつ繰出す媒体集積繰出装置において、
前記舌片ローラと同軸上に設けられ、該舌片ローラの媒体集積時の回転方向にのみ回転し、前記舌片ローラの媒体繰出し時の回転時に前記舌片を所定範囲内に撓ませる爪部を有する巻き取り部材を設けたことを特徴とする媒体集積繰出装置。
【請求項５】
可撓性を有する複数の舌片を備え回転可能な舌片ローラにより媒体を叩いて集積するとともに、集積された媒体を１枚ずつ繰出す媒体集積繰出装置において、
前記舌片を、予め、媒体繰出し時に繰出し媒体に影響を及ぼさない程度に所定方向に撓ませておき、
媒体集積時に前記舌片を、集積時の媒体の移動軌跡上に進入する方向に起こす爪部を設けたことを特徴とする媒体集積繰出装置。
【発明の詳細な説明】
【技術分野】
【０００１】
本発明は、現金自動預払機に内蔵される紙幣入出金装置等において、紙幣などの媒体を搬送路から集積部に集積するとともに、集積部から１枚ずつ搬送路に繰出す処理を行う媒体集積繰出装置に関する。
【背景技術】
【０００２】
従来、現金自動預払機に内蔵される紙幣入出金装置においては、入金処理において紙幣を搬送路から集積部に集積し、また出金処理において集積部から紙幣を１枚ずつ繰出している。そして入金処理において複数枚の紙幣を連続して集積する場合、集積部の上部に放出した紙幣に後続の紙幣が衝突するのを防止するために、舌片を備えた回転可能な舌片ローラを設けて、集積部の上部に放出した紙幣を下方に叩き落すようにしている。以下、図を用いて説明する。
【０００３】
図１６は従来の紙幣集積繰出装置を示す概略側面図である。図１６において、フィードローラ１は正逆両方向に回転し、紙幣Ｐを集積するとともに紙幣Ｐの繰出しを行う。ゲートローラ２は紙幣Ｐを集積する場合にのみ回転し、紙幣Ｐを繰出す場合には停止していることにより分離ローラの機能を持つ。舌片ローラ３は放射状に形成された複数の舌片４を有し、舌片４は集積の際に紙幣Ｐを下方に叩く機能を有する。舌片ローラ３は回転可能であるとともに、図示しないリンク機構により退避可能となっている。
【０００４】
紙幣Ｐを集積する場合には、フィードローラ１は矢印Ａ方向に回転し、ゲートローラ２は矢印Ｂ方向に回転する。また舌片ローラ３は矢印Ｂ方向に回転する。これにより図中左側の図示しない搬送路から搬送されてくる紙幣Ｐは、フィードローラ１とゲートローラ２により、図中右側の集積部に紙幣Ｐを取り込む。紙幣Ｐがフィードローラ１及びゲートローラ２から離れると、舌片ローラ３の舌片４により下方に叩き落される。これにより後続の紙幣が先行の紙幣に衝突することなく、集積部の上部に放出される。
【０００５】
紙幣Ｐを繰出す場合は、図１７に示すように、フィードローラ１は矢印Ｂ方向に回転し、ゲートローラ２は回転しない。また舌片ローラ３は、図１７に示すように退避位置に退避する。この退避位置は舌片４が繰出される紙幣Ｐに届かない位置である。図示しないピックアップローラにより最上位の紙幣Ｐがピックアップされると、紙幣Ｐはフィードローラ１により矢印Ｃ方向に搬送される。このときゲートローラ２は回転せずに、２枚目以降の搬送を阻止する分離ローラとしての働きをする。
【０００６】
舌片ローラ３を退避させる手段としては、一般的には、リンク機構により舌片ローラ３を退避位置に退避させている。このように舌片ローラを退避させる構成を有する装置として、例えば、特許２９０８１６９号公報に開示されるものがある。
【特許文献１】特許２９０８１６９号公報
【発明の開示】
【発明が解決しようとする課題】
【０００７】
しかしながら上記従来の紙幣集積繰出装置においては、舌片ローラを退避させるために、リンク機構を駆動するためのアクチュエータが必要になり、装置コストがかかり、低価格化を実現する上で問題となっている。
【０００８】
そこで本発明は、アクチュエータを必要とすることなく、舌片を媒体繰出し範囲から退避させることにより、低価格を実現した媒体集積繰出装置を提供することを目的とする。
【課題を解決するための手段】
【０００９】
上記課題を解決するために第１の発明は、可撓性を有する複数の舌片を備え回転可能な舌片ローラにより媒体を叩いて集積するとともに、集積された媒体を１枚ずつ繰出す媒体集積繰出装置において、前記舌片が接触可能で、該舌片が接触した状態で前記舌片ローラの回転により移動し、前記舌片が集積時の媒体移動軌跡上に突出するのを許容する第１の停止位置と、繰出し時の媒体移動軌跡上への前記舌片の突出を阻止する第２の停止位置をとる移動部材を設け、媒体集積時は、前記舌片ローラの回転により前記移動部材は前記第１の停止位置に位置付けられ、媒体繰出し時は、前記舌片ローラの回転により前記移動部材は前記第２の停止位置に位置付けられることを特徴とするものである。
【００１０】
また第２の発明は、可撓性を有する複数の舌片を備え回転可能な舌片ローラにより媒体を叩いて集積するとともに、集積された媒体を１枚ずつ繰出す媒体集積繰出装置において、前記舌片ローラと同軸上に設けられ、該舌片ローラの媒体集積時の回転方向にのみ回転し、前記舌片ローラの媒体繰出し時の回転時に前記舌片を所定範囲内に撓ませる爪部を有する巻き取り部材を設けたことを特徴とするものである。
【００１１】
さらに第３の発明は、可撓性を有する複数の舌片を備え回転可能な舌片ローラにより媒体を叩いて集積するとともに、集積された媒体を１枚ずつ繰出す媒体集積繰出装置において、前記舌片を、予め、媒体繰出し時に繰出し媒体に影響を及ぼさない程度に所定方向に撓ませておき、媒体集積時に前記舌片を、集積時の媒体の移動軌跡上に進入する方向に起こす爪部を設けたことを特徴とするものである。
【発明の効果】
【００１２】
第１の発明によれば、媒体集積時は、舌片ローラの回転により移動部材は、舌片が集積時の媒体移動軌跡上に突出するのを許容する第１の停止位置に位置付けられ、媒体繰出し時は、舌片ローラの回転により移動部材は、繰出し時の媒体移動軌跡上への舌片の突出を阻止する第２の停止位置に位置付けられるので、アクチュエータを設けることなく、媒体繰出し時に舌片を退避させることができる。
【００１３】
第２の発明に拠れば、舌片ローラと同軸上に設けられ、舌片ローラの媒体集積時の回転方向にのみ回転し、舌片ローラの媒体繰出し時の回転時に舌片を所定範囲内に撓ませる爪部を有する巻き取り部材を設けたので、アクチュエータを設けることなく、媒体繰出し時に舌片を退避させることができる。
【００１４】
また第３の発明に拠れば、舌片を、予め、媒体繰出し時に繰出し媒体に影響を及ぼさない程度に所定方向に撓ませておき、媒体集積時に舌片を、集積時の媒体の移動軌跡上に進入する方向に起こす爪部を設けたので、アクチュエータを設けることなく、媒体繰出し時に舌片を退避させることができる。
【発明を実施するための最良の形態】
【００１５】
以下、本発明の実施の形態を図面にしたがって説明する。各図面に共通する要素には同一の符号を付す。なお以下に説明する各実施の形態において、媒体集積繰出装置として、現金自動預払機に内蔵される紙幣集積繰出装置を例にして説明する。図１は本発明の第１の実施の形態の紙幣集積繰出装置を示す概略側面図である。
【００１６】
図１において、第１の実施の形態の紙幣集積繰出装置１１には、フィードローラ１２、ゲートローラ１３および舌片ローラ１４が設けられている。フィードローラ１２は正逆両方向に回転し、紙幣Ｐを集積するとともに紙幣Ｐの繰出し搬送を行う。ゲートローラ１３は紙幣Ｐを集積する場合にのみ回転し、紙幣Ｐを繰出す場合には停止していることにより分離ローラの機能を持つ。舌片ローラ１４は放射状に形成された複数の舌片１５を有し、舌片１５はゴム等の弾性を有する材料で形成され、集積の際に紙幣Ｐを下方に叩く機能を有する。舌片ローラ１４は両方向に回転可能である。
【００１７】
図におけるゲートローラ１３の右側には集積部２０が設けられている。集積部２０には昇降可能なステージ２０ａが設けられ、ステージ２０ａ上に紙幣Ｐが集積される。紙幣Ｐを集積する場合はステージ２０ａは下降し、最上位の紙幣Ｐとフィードローラ１２とゲートローラ１３との間の紙幣放出位置との間にある程度の間隔が空けられる。逆に紙幣Ｐを繰出す場合は、ステージ２０ａが上昇され、最上位の紙幣Ｐが図示しないピックアップローラと圧接する。
【００１８】
図２は第１の実施の形態の紙幣集積繰出装置の要部を示す斜視図で、舌片ローラ、カバーおよびガイドを示す。図３は第１の実施の形態のカバーを示す斜視図である。図１、図２、図３において、舌片ローラ１４の回転軸１４ａにはカバー１６が回転自在に設けられている。カバー１６は側面から見て略扇形をしており、図３に示すように、側壁部１６ａと周壁部１６ｂを有する。なお図２においては左側の側壁部１６ａは図示省略している。カバー１６の回転中心から周壁部１６ｂまでの距離Ｌ１は舌片１５の長さＬ２より短く（Ｌ１＜Ｌ２）、図２に示すように、舌片１５が周壁部１６ｂに当接する場合には常に撓んだ状態となる。即ち、周壁部１６ｂの内側は舌片１５の収納部を構成する。また周壁部１６ｂのない部分は舌片１５が突出する切欠部を構成する。カバー１６の端部１６ｃには突き当て部１７が形成されている。
【００１９】
また紙幣Ｐの搬送方向に沿ってガイド１８が設けられている。ガイド１８には切り欠き部１９が形成され、この切り欠き部１９に舌片ローラ１４の舌片１５およびカバー１６の一部が入り込むようになっている。舌片ローラ１４の回転中心から切り欠き部１９の上端部１９ａまでの距離、および舌片ローラ１４の回転中心から切り欠き部１９の下端部１９ｂまでの距離は、舌片１５の長さＬ２より短く、かつ、カバー１６の回転中心から周壁部１６ｂまでの距離Ｌ１より長く設定されている。またカバー１６の端部１６ｃに設けられた突き当て部１７は、カバー１６の回転により切り欠き部１９の上端部１９ａに当接するように寸法設定されている。ガイド１８は図示しない装置フレームに固定されている。
【００２０】
次に第１の実施の形態の動作を説明する。まず紙幣の集積動作について説明する。図１において、紙幣Ｐを集積する場合には、フィードローラ１２は矢印Ａ方向に回転され、ゲートローラ１３は矢印Ｂ方向に回転する。また舌片ローラ１４は矢印Ｂ方向に回転する。舌片ローラ１４の回転により、舌片１５が弾性変形してカバー１６の周壁部１６ｂの内側に圧接し、この圧接により発生する舌片１５と周壁部１６ｂとの間の摩擦抵抗により、カバー１６は舌片ローラ１４と同方向に回転する。
【００２１】
カバー１６の矢印Ｂ方向への回転は、突き当て部１７が、図２に示すガイド１８の切り欠き部１９の上端部１９ａに当接するまで行われ、当接した時点で停止する。これ以降も舌片ローラ１４は回転し続け、これ以降において舌片１５は撓んだ状態で周壁部１６ｂの内側を摺接する。舌片１５は周壁部１６ｂを通り過ぎると、ガイド１８の切り欠き部１９に入り込むとともに、撓んだ状態からまっすぐに伸びた状態になる。即ち、舌片１５は、まっすぐに伸びた状態で、集積時の紙幣Ｐの移動軌跡上に進入する。
【００２２】
図１における左側の図示しない搬送路から搬送されてくる紙幣Ｐは、フィードローラ１２とゲートローラ１３により、図中右側の集積部に紙幣Ｐを取り込む。この集積時の紙幣Ｐの移動軌跡を符号ａで示す。紙幣Ｐがフィードローラ１２及びゲートローラ１３から放出されると、まっすぐに伸びた舌片ローラ１４の舌片１５により下方に叩き落される。これにより後続の紙幣が先行の紙幣に衝突することなく、集積部の上部に放出される。舌片１５は回転によりガイド１８の切り欠き部１９の下端部１９ｂに当接すると、再び撓み、撓んだ状態でカバー１６の周壁部１６ｂの内側を摺接する。以上の動作を繰り返し、紙幣Ｐを連続的に集積する。
【００２３】
次に図４及び図５にしたがって紙幣を繰出す動作を説明する。図４は第１の実施の形態における紙幣繰出し動作を示す概略側面図、図５は第１の実施の形態における紙幣繰出し動作を示す斜視図である。図４、図５において、紙幣Ｐを繰出す場合は、フィードローラ１２は矢印Ｂ方向に回転し、ゲートローラ１３は回転しない。また舌片ローラ１４は矢印Ａ方向に回転する。舌片ローラ１４の回転により、舌片１５が弾性変形してカバー１６の周壁部１６ｂの内側に圧接し、この圧接により発生する舌片１５と周壁部１６ｂとの間の摩擦抵抗により、カバー１６は舌片ローラ１４と同方向に回転する。
【００２４】
カバー１６の矢印Ａ方向への回転は、突き当て部１７が、ガイド１８の切り欠き部１９の下端部１９ｂに当接するまで行われ、当接した時点で停止する。このとき、カバー１６の周壁部１６ｂは、図５に示すように、ガイド１８の切り欠き部１９を覆う位置にきており、この位置に停止し続ける。これ以降も舌片ローラ１４は回転し続け、これ以降において舌片１５は撓んだ状態で周壁部１６ｂの内側を摺接する。舌片１５は周壁部１６ｂを通り過ぎると、撓んだ状態からまっすぐに伸びた状態になるが、舌片１５は、図４に符合ｂで示す繰出し時の紙幣Ｐの移動軌跡上に対しては、カバー１６の周壁部１６ｂにより進入を阻止される。
【００２５】
図示しないピックアップローラにより最上位の紙幣Ｐがピックアップされると、紙幣Ｐは、舌片１５により邪魔されることなく、フィードローラ１２により矢印Ｃ方向に搬送される。このときゲートローラ１３は回転せずに、２枚目以降の搬送を阻止する分離ローラとしての働きをする。
【００２６】
以上のように第１の実施の形態によれば、紙幣の繰出し時に舌片１５の紙幣移動軌跡上への伸長を阻止するカバー１６を設けたので、アクチュエータを設けることなく、媒体繰出し時に舌片を退避させることができる。なおカバー１６の形状は上記実施の形態のように、周壁部１６ｂの湾曲形状に限定されるものではなく、例えば、周壁部が多角形形状のものでもよい。
【００２７】
次に第２の実施の形態を説明する。図６は第２の実施の形態の紙幣集積繰出装置を示す概略側面図、図７は第２の実施の形態の要部を示す斜視図である。図６、図７において、第２の実施の形態の紙幣集積繰出装置２１には、第１の実施の形態と同様に、フィードローラ１２、ゲートローラ１３および舌片ローラ１４が設けられている。また紙幣Ｐの搬送経路に沿って、ガイド１８が設けられている。
【００２８】
第２の実施の形態のガイド１８には切り欠き部１９が設けられ、切り欠き部１９の下部にシャッター２２がガイド１８に対して摺動可能に設けられている。シャッター２２は、この位置を待機位置とし、複数の板材２３を多少の間隔をあけて連べた構成となっている。したがってシャッター２２は湾曲状に移動可能である。ガイド１８には図示していないが、シャッター２２がガイド１８に沿って移動できるようにガイド部が設けられ、切り欠き部１８の上部にはシャッター２２を位置決めするためのストッパ２４が設けられている。
【００２９】
待機位置におけるシャッター２２の上端部から舌片ローラ１４の回転中心までの距離Ｌ３は、舌片１５の長さＬ２より短く（Ｌ３＜Ｌ２）、また切り欠き部１９の下端部１９ｂから舌片ローラ１４の回転中心までの距離Ｌ４も舌片１５の長さＬ２より短く（Ｌ４＜Ｌ２）設定されている。さらに距離Ｌ３は距離Ｌ４より長く（Ｌ３＞Ｌ４）設定されている。
【００３０】
次に第２の実施の形態の動作を説明する。まず紙幣を集積する場合を説明するが、集積する場合は、シャッター２２が予め図６および図７に示す待機位置に位置している。紙幣Ｐを集積する場合、フィードローラ１２は図６に示す矢印Ａ方向に回転され、ゲートローラ１３は矢印Ｂ方向に回転する。また舌片ローラ１４は矢印Ｂ方向に回転する。
【００３１】
このとき舌片１５は、その先端部がガイド１８の切り欠き部１９の下端部１９ｂに衝突して多少の弾性変形をするが、待機位置にあるシャッター２２には接触することなく回転する。即ち、舌片１５は、切り欠き部１９の上端部１９ａ及び下端部１９ｂに接触するとき以外は、まっすぐに伸びた状態となり、集積時の紙幣Ｐの移動軌跡ａ上に進入している。
【００３２】
図中左側の図示しない搬送路から搬送されてくる紙幣Ｐは、フィードローラ１２とゲートローラ１３により、図中右側の集積部に紙幣Ｐを取り込む。紙幣Ｐがフィードローラ１２及びゲートローラ１３から放出されると、まっすぐに伸びた舌片ローラ１４の舌片１５により下方に叩き落される。これにより後続の紙幣が先行の紙幣に衝突することなく、集積部の上部に放出される。舌片１５は回転によりガイド１８の切り欠き部１９の下端部１９ｂに当接すると、再び撓むが、その後再び伸びた状態で回転する。以上の動作を繰り返し、紙幣Ｐを連続的に集積する。
【００３３】
次に紙幣を繰出す動作を図８および図９にしたがって説明する。図８は第２の実施の形態の繰り出し動作を示す概略側面図、図９は第２の実施の形態の繰出し動作を示す斜視図である。紙幣Ｐを繰出す場合は、フィードローラ１２は矢印Ｂ方向に回転し、ゲートローラ１３は回転しない。また舌片ローラ１４は矢印Ａ方向に回転する。舌片ローラ１４の回転により、舌片１５の先端部がシャッター２２の上部に圧接し、この圧接により発生する舌片１５とシャッター２２との間の摩擦抵抗により、シャッター２２はガイド１８に設けられている図示しないガイド部により切り欠き部１８に沿って上方に移動する。
【００３４】
シャッター２２の上方への移動は、先頭の板材２３が、ガイド１８に設けられたストッパ２４に当接するまで行われ、当接した時点で停止する。これ以降も舌片ローラ１４は回転し続け、これ以降において舌片１５は撓んだ状態でシャッター２２の内側を摺接する。舌片１５はシャッター２２を通り過ぎると、撓んだ状態からまっすぐに伸びた状態になる。即ち、舌片１５は、シャッター２２により、繰出し時の紙幣Ｐの移動軌跡ｂ上への進入を阻止される。
【００３５】
図示しないピックアップローラにより最上位の紙幣Ｐがピックアップされると、紙幣Ｐは、舌片１５により邪魔されることなく、フィードローラ１２により矢印Ｃ方向に搬送される。このときゲートローラ１３は回転せずに、２枚目以降の搬送を阻止する分離ローラとしての働きをする。
【００３６】
以上のように第２の実施の形態においては、紙幣の繰出し時に舌片１５の伸長を阻止するシャッター２２を設けたので、アクチュエータを設けることなく、媒体繰出し時に舌片を退避させることができる。
【００３７】
次に第３の実施の形態を説明する。図１０は第３の実施の形態の紙幣集積繰出装置を示す概略側面図、図１１は第３の実施の形態の要部を示す斜視図である。図１０、図１１において、第３の実施の形態の紙幣集積繰出装置３１には、第１の実施の形態と同様に、フィードローラ１２、ゲートローラ１３および舌片ローラ１４が設けられている。また紙幣Ｐの搬送経路に沿って、ガイド１８が設けられている。
【００３８】
第３の実施の形態の舌片ローラ１４は軸３２に取り付けられ、軸３２はモータ３３により回転駆動される。軸３２にはまた、巻き取り部材３５およびワンウェイクラッチ３６が取付けられている。巻き取り部材３５とワンウェイクラッチ３６は互いに固定されており、両者は一体に回転する。ワンウェイクラッチ３６は図１１に示す矢印Ｄ方向にのみ回転する。
【００３９】
巻き取り部材３５の舌片ローラ１４側には爪部３７が４箇所に形成されている。爪部３７は舌片ローラ１４の舌片１５を係止可能な位置に形成され、回転時に舌片１５は爪部３７に突き当たることにより、湾曲状に撓む。なお爪部３７は舌片１５の数に対応させて８箇所に形成してもよい。
【００４０】
次に第３の実施の形態の動作を説明する。まず紙幣を集積する場合を説明するが、紙幣Ｐを集積する場合、フィードローラ１２は図１０に示す矢印Ａ方向に回転され、ゲートローラ１３は矢印Ｂ方向に回転する。また舌片ローラ１４はモータ３３により軸３２を介して矢印Ｂ方向に回転する。軸３２が回転することにより、ワンウェイクラッチ３５および巻き取り部材３６が同方向に回転する。したがって舌片１５は、まっすぐに伸びた状態で、集積時の紙幣Ｐの移動軌跡ａ上に進入して回転する。
【００４１】
図中左側の図示しない搬送路から搬送されてくる紙幣Ｐは、フィードローラ１２とゲートローラ１３により、図中右側の集積部に紙幣Ｐを取り込む。紙幣Ｐがフィードローラ１２及びゲートローラ１３から放出されると、まっすぐに伸びた舌片ローラ１４の舌片１５により下方に叩き落される。これにより後続の紙幣が先行の紙幣に衝突することなく、集積部の上部に放出される。以上の動作を繰り返し、紙幣Ｐを連続的に集積する。
【００４２】
次に紙幣を繰出す動作を図１２にしたがって説明する。図１２は第３の実施の形態の繰り出し動作を示す概略側面図である。紙幣Ｐを繰出す場合は、フィードローラ１２は矢印Ｂ方向に回転し、ゲートローラ１３は回転しない。また舌片ローラ１４はモータ３３により軸３２を介して矢印Ａ方向に回転する。このときワンウェイクラッチ３５および巻き取り部材３６は回転せず、そのため舌片ローラ１４の舌片１５は、図１２に示すように、巻き取り部材３６の爪部３７に突き当たり、爪部３７の内側に撓み、巻き取り部材３６の範囲内に収納された状態となる。このため舌片１５は、繰出し時の紙幣Ｐの移動軌跡ｂ上への進入を阻止される。
【００４３】
図示しないピックアップローラにより最上位の紙幣Ｐがピックアップされると、紙幣Ｐは、舌片１５により邪魔されることなく、フィードローラ１２により矢印Ｃ方向に搬送される。このときゲートローラ１３は回転せずに、２枚目以降の搬送を阻止する分離ローラとしての働きをする。
なお舌１５は、通常時（舌片１４が何れの方向にも回転していないとき）には、図１０に示すように、撓んでいない状態に戻る構造になっている。
【００４４】
以上のように第３の実施の形態によれば、紙幣の繰出し時に舌片１５の伸長を阻止する爪部３７を有する巻き取り部材３６を設けたので、アクチュエータを設けることなく、媒体繰出し時に舌片を退避させることができる。
【００４５】
次に第４の実施の形態を説明する。図１３は第４の実施の形態の紙幣集積繰出装置を示す概略側面図である。図１３において、第４の実施の形態の紙幣集積繰出装置４１には、第１の実施の形態と同様に、フィードローラ１２、ゲートローラ１３および舌片ローラ１４が設けられている。また紙幣Ｐの搬送経路に沿って、ガイド１８が設けられている。
【００４６】
第４の実施の形態の舌片ローラ１４には、図１４に示すように、舌片１５が予め撓んだ形状に変形させてある。舌片１５はゴム等の弾性部材で形成されており、力が加えられると変形するが、力が除去された状態では、図１４に示す形状を成している。
【００４７】
舌片１５の撓んでいる方向は、紙幣繰出し時に舌片１５を撓ませる方向である。また撓んだ状態における舌片１５は、繰出される紙幣Ｐの移動軌跡ｂ（図１５に示す）上には達しない長さに設定されている。ガイド１８には、舌片１５の接触する位置に、爪部４２が設けられている。爪部４２は舌片１５の回転範囲内に設けられ、舌片ローラ１４の回転時に舌片１５に接触する。
【００４８】
次に第４の実施の形態の動作を説明する。まず紙幣を集積する場合を説明する。紙幣Ｐを集積する場合、フィードローラ１２は図１３に示す矢印Ａ方向に回転され、ゲートローラ１３は矢印Ｂ方向に回転する。また舌片ローラ１４は矢印Ｂ方向に回転する。舌片ローラ１４の回転すると、舌片１５の先端部が爪部４２に引っ掛かり、このため舌片１５は撓み方向の逆方向に起こされ、これにより伸びた状態で紙幣の移動軌跡ａ上に進入する。
【００４９】
図中左側の図示しない搬送路から搬送されてくる紙幣Ｐは、フィードローラ１２とゲートローラ１３により、図中右側の集積部に紙幣Ｐを取り込む。紙幣Ｐがフィードローラ１２及びゲートローラ１３から放出されると、伸ばされた舌片ローラ１４の舌片１５により下方に叩き落される。これにより後続の紙幣が先行の紙幣に衝突することなく、集積部の上部に放出される。以上の動作を繰り返し、紙幣Ｐを連続的に集積する。
【００５０】
次に紙幣を繰出す動作を図１５にしたがって説明する。図１５は第４の実施の形態の繰り出し動作を示す概略側面図である。紙幣Ｐを繰出す場合は、フィードローラ１２は矢印Ｂ方向に回転し、ゲートローラ１３は回転しない。また舌片ローラ１４は矢印Ａ方向に回転する。舌片ローラ１４の回転により、舌片１５は、図１５に示すように、爪部４２に突き当たり、爪部４２に押さえられてその内側に撓む。このため舌片１５は、繰出し時の紙幣Ｐの移動軌跡ｂ上への進入を阻止された状態となる。
【００５１】
図示しないピックアップローラにより最上位の紙幣Ｐがピックアップされると、紙幣Ｐは、舌片１５により邪魔されることなく、フィードローラ１２により矢印Ｃ方向に搬送される。このときゲートローラ１３は回転せずに、２枚目以降の搬送を阻止する分離ローラとしての働きをする。
【００５２】
以上のように第４の実施の形態によれば、紙幣の繰出し時に、予め撓んでいる舌片１５を押さえる爪部４２を設けたので、アクチュエータを設けることなく、媒体繰出し時に舌片を退避させることができる。なお第４の実施の形態では、爪部４２で舌片１５を押さえなくても紙幣Ｐの繰出しの邪魔にはならないが、舌片ローラ１４の回転時の遠心力で舌片１５が広がる可能性があるので、爪部４２で確実に押さえるようにする。
【図面の簡単な説明】
【００５３】
【図１】第１の実施の形態の紙幣集積繰出装置を示す概略側面図である。
【図２】第１の実施の形態の紙幣集積繰出装置の要部を示す斜視図である。
【図３】第１の実施の形態のカバーを示す斜視図である。
【図４】第１の実施の形態における紙幣繰出し動作を示す概略側面図である。
【図５】第１の実施の形態における紙幣繰出し動作を示す斜視図である。
【図６】第２の実施の形態の紙幣集積繰出装置を示す概略側面図である。
【図７】第２の実施の形態の要部を示す斜視図である。
【図８】第２の実施の形態の繰り出し動作を示す概略側面図である。
【図９】第２の実施の形態の繰出し動作を示す斜視図である。
【図１０】第３の実施の形態の紙幣集積繰出装置を示す概略側面図である。
【図１１】第３の実施の形態の要部を示す斜視図である。
【図１２】第３の実施の形態の繰り出し動作を示す概略側面図である。
【図１３】第４の実施の形態の紙幣集積繰出装置を示す概略側面図である。
【図１４】第４の実施の形態の舌片ローラを示す側面図である。
【図１５】第４の実施の形態の繰り出し動作を示す概略側面図である。
【図１６】従来の紙幣集積繰出装置を示す概略側面図である。
【図１７】従来の紙幣繰出し動作を示す概略側面図である。
【符号の説明】
【００５４】
１１、２１、３１、４１  紙幣集積繰出装置
１２  フィードローラ
１３  ゲートローラ
１４  舌片ローラ
１５  舌片
１６  カバー
１８  ガイド
２２  シャッター
３５  ワンウェイクラッチ
３６  巻き取り部材
３７  爪部
４２  爪部
【図１】
2008308324.tif 000003
【図２】
2008308324.tif 000004
【図３】
2008308324.tif 000005
【図４】
2008308324.tif 000006
【図５】
2008308324.tif 000007
【図６】
2008308324.tif 000008
【図７】
2008308324.tif 000009
【図８】
2008308324.tif 000010
【図９】
2008308324.tif 000011
【図１０】
2008308324.tif 000012
【図１１】
2008308324.tif 000013
【図１２】
2008308324.tif 000014
【図１３】
2008308324.tif 000015
【図１４】
2008308324.tif 000016
【図１５】
2008308324.tif 000017
【図１６】
2008308324.tif 000018
【図１７】
2008308324.tif 000019